(57)【要約】      （修正有）【課題】シークステータス信号を制御することで、シーク動作終了後のＲＰＬＬ動作を安定させ、データリード動作を速やかに開始する。【解決手段】入力したＲＦ信号１８を用いて同期クロック１１を生成するＲＰＬＬ回路４と、シーク動作中であるか否かを示すシークステータス信号１５に基づいてＲＰＬＬ回路４のホールド処理と初期化処理を制御する制御回路６と、を有するディスクドライブ装置１０において、シークステータス信号１５に基づいて、制御回路６におけるホールド処理の実行タイミングを制御する遅延回路８を有する。【選択図】図１
2010027109.tif 000002
【特許請求の範囲】
【請求項１】
入力したＲＦ信号を用いて同期クロックを生成するＰＬＬ回路と、シーク動作中であるか否かを示すシークステータス信号に基づいて前記ＰＬＬ回路のホールド処理と初期化処理を制御する制御回路と、を有するディスクドライブ装置において、
前記シークステータス信号に基づいて、前記制御回路における前記ホールド処理の実行タイミングを制御する遅延回路を有するディスクドライブ装置。
【請求項２】
前記遅延回路は、少なくともシーク動作後にサーボ信号が定常状態に移行するのに必要な時間だけ遅延させることで前記タイミング制御を行う
ことを特徴とする請求項１記載のディスクドライブ装置。
【請求項３】
前記遅延回路においては、前記遅延時間を可変に設定することができる
ことを特徴とする請求項２記載のディスクドライブ装置。
【請求項４】
シーク動作中のトラックカウント数に応じて前記シークステータス信号をマスクするマスク回路を更に有する請求項１乃至３いずれか１項記載のディスクドライブ装置。
【請求項５】
前記マスク回路は、光ピックアップを目的トラックにジャンプさせるトラックジャンプ動作の制御において、シーク動作中のトラックカウント数から前記光ピックアップを１トラックジャンプさせるものと判定した際に、前記シークステータス信号をマスクする
ことを特徴とする請求項４記載のディスクドライブ装置。
【発明の詳細な説明】
【技術分野】
【０００１】
本発明は、ディスク上に記録された情報を読み出すディスクドライブ装置に関し、特に、シークステータス信号を制御してシーク動作後のデータリード動作の安定化及び高速化を実現するディスクドライブ装置に関する。
【背景技術】
【０００２】
近年、ＣＤ、ＤＶＤ、ＨＤ−ＤＶＤ、Ｂｌｕ−ｒａｙ  Ｄｉｓｃ等の大容量の光ディスク媒体の普及に伴い、これら光ディスク媒体に記憶された情報を読み取るディスクドライブ装置が開発されている。ディスクドライブ装置では、光ディスク上に記憶されたデータを光ピックアップにより読み取ることでデータの再生を行う。
【０００３】
光ピックアップから読み出された信号がＲＦアンプに出力されて、ＲＦアンプにてＲＦ信号が生成される。ＲＦ信号はさらにＲｅａｄ  Ｃｈａｎｎｅｌ回路へと出力され、Ｒｅａｄ  Ｃｈａｎｎｅｌ回路のＲｅａｄ  ＰＬＬ（ＰＬＬ：Ｐｈａｓｅ  ｌｏｃｋｅｄ  ｌｏｏｐ）にて、当該ＲＦ信号を用いてデータ抽出と同期クロックの生成を行う。これら生成した同期クロックとデータとに基づいて、データ論理処理回路を通してデータ再生処理が行われる。光ディスク上の任意のアドレスからデータを読み出すために、サーボ回路にて、所望のアドレスに対するシーク動作が行われる。このため、シーク動作の終了後には、Ｒｅａｄ  ＰＬＬの動作を安定させて、高速にデータを再生可能とすることが求められている。
【０００４】
以下、図６を参照して関連する技術について説明する。図６に示すディスクドライブ装置５０は、少なくともＲｅａｄ  Ｃｈａｎｎｅｌ  Ｕｎｉｔ６０とＳｅｒｖｏ  Ｕｎｉｔ７０を備える。Ｒｅａｄ  Ｃｈａｎｎｅｌ  Ｕｎｉｔ６０は、入力されるＲＦ信号（ＲＦ  Ｓｉｇｎａｌ）５８より、同期クロック（Ｃｌｏｃｋ）５１の生成と、データ（Ｄａｔａ）５２の２値化を行う。Ｓｅｒｖｏ  Ｕｎｉｔ７０は、フォーカス、トラッキングなどのサーボ制御を行うと共に、ＴＥ信号（ＴＥ  Ｓｉｇｎａｌ）５６とＭＩＲＲ信号（ＭＩＲＲ  Ｓｉｇｎａｌ）５７に基づいて、シーク動作を制御するためのシークステータス信号（Ｓｅｅｋ  Ｓｔａｔｕｓ  Ｓｉｇｎａｌ）５５を出力する。
【０００５】
Ｒｅａｄ  Ｃｈａｎｎｅｌ  Ｕｎｉｔ６０は、アナログＲＦ信号５８をディジタル化するＡＤコンバータ（ＡＤＣ）１００と、ＲＦ信号オフセットキャンセラー回路（ＯＳＣ）１０１と、信号振幅の一定化処理を行うＡＧＣ回路（ＡＧＣ）１０２と、同期クロック５１の生成を行うＲｅａｄ  ＰＬＬ（以下、ＲＰＬＬと称す。）１０３と、データ５２の２値化処理を行うビタビ検出回路（Ｖｉｔｅｒｂｉ  Ｄｅｔｅｃｔｉｏｎ）１０４と、ＲＰＬＬ１０３のホールド及び初期化制御を行うホールド・初期化制御回路（Ｈｏｌｄ  Ｉｎｉｔｉａｌｉｚｅ  Ｃｏｎｔｒｏｌ）１０５と、を備える。
【０００６】
Ｒｅａｄ  Ｃｈａｎｎｅｌ  Ｕｎｉｔ６０は、アナログ信号であるＲＦ信号５８の入力を受け付けると、ＡＤコンバータ１００と、ＲＦ信号オフセットキャンセラー回路１０１と、ＡＧＣ回路１０２とを介して、ＲＰＬＬ１０３で再生するデータ５２の補正処理を行う。ＲＰＬＬ１０３において同期クロック５１の生成が行われる。また、ビタビ検出回路１０４においてデータ５２の２値化処理が行われる。Ｒｅａｄ  Ｃｈａｎｎｅｌ  Ｕｎｉｔ６０でこのようにして生成された同期クロック５１とデータ５２とが、図示しないデータ論理処理回路において使用される。
【０００７】
ここで、ホールド・初期化制御回路１０５は、ディスクドライブ装置がシーク動作中であるか否かを示すシークステータス信号５５や、光ディスク上に欠陥や、キズなどがあることを示すディフェクト信号（図示せず）などに基づいて、ＲＰＬＬ１０３のホールド又は初期化の制御を行う。ＲＰＬＬ１０３のホールドは、ホールド制御信号（Ｈｏｌｄ  Ｃｏｎｔｒｏｌ  Ｓｉｇｎａｌ）５３を出力して行う。また、ＲＰＬＬの初期化制御は、初期化制御信号（Ｉｎｉｔｉａｌｉｚｅ  Ｃｏｎｔｒｏｌ  Ｓｉｇｎａｌ）５４を出力して行う。
【０００８】
Ｓｅｒｖｏ  Ｕｎｉｔ７０は、シークシーケンサ回路（Ｓｅｅｋ  Ｃｏｎｔｒｏｌ  Ｓｅｑｕｅｎｃｅｒ）１０６を備えている。シークシーケンサ回路１０６は、ＴＥ信号５６とＭＩＲＲ信号５７に基づいて、トラックカウント動作や、シーク動作に必要な制御を行う。また、シークシーケンサ回路１０６は、シーク動作中を示すシークステータス信号５５を生成し、ホールド・初期化制御回路１０５へと出力する。
【０００９】
さらに、関連する技術としては、例えば、特許文献１には、シーク動作後に変動する最中においてもＲＦ信号の有効部分のみを抽出してＰＬＬを動作させることで、ロックインタイムを短くすることなくアクセスタイムを短縮可能なディスクドライブ装置が開示されている。特許文献１記載のディスクドライブ装置では、シーク動作において、ディスクの信号面部を通過する際に得られる検出信号に対して機能するＰＬＬの方式が開示されている。
【特許文献１】特開２０００−５７６８５号公報
【発明の開示】
【発明が解決しようとする課題】
【００１０】
従来のＲＰＬＬのホールド・初期化制御回路においては、シーク終了後、データリード動作を開始するまでに時間を要すという問題があった。
【００１１】
より具体的には、図７に示すように、従来のＲＰＬＬのホールド・初期化制御回路においては、ＲＰＬＬ１０３のホールド制御に用いる信号（Ｓｅｅｋ  Ｓｔａｔｕｓ）は、シーク動作終了後にサーボ系信号（ＴＥ  Ｓｉｇｎａｌ５６）が安定状態に遷移するまで待ち合わせるという考慮がなされていなかった。このように、シーク動作終了直後のサーボ系信号（ＴＥ  Ｓｉｇｎａｌ５６）が不安定な状態であるがために、ＲＰＬＬ４のホールド及び初期化制御を行うホールド・初期化制御回路（Ｈｏｌｄ  Ｉｎｉｔｉａｌｉｚｅ  Ｃｏｎｔｒｏｌ）６が期待通りに動作しないこととなる。その結果、ＲＰＬＬ１０３がホールド状態から通常動作状態に移行するまでに余分な時間を要すことになり、データリード動作を速やかに開始することができないものであった。
【課題を解決するための手段】
【００１２】
上述した課題を解決するために、本発明に係るディスクドライブ装置は、入力したＲＦ信号を用いて同期クロックを生成するＰＬＬ回路と、シーク動作中であるか否かを示すシークステータス信号に基づいて前記ＰＬＬ回路のホールド処理と初期化処理を制御する制御回路と、を有するディスクドライブ装置において、前記シークステータス信号に基づいて、前記制御回路における前記ホールド処理の実行タイミングを制御する遅延回路を有するものである。
【発明の効果】
【００１３】
本発明にかかるディスクドライブ装置によれば、シークステータス期間を延長するようにシークステータス信号を制御することで、シーク動作終了後のＲＰＬＬ動作を安定させ、データリード動作を速やかに開始することができる。
【発明を実施するための最良の形態】
【００１４】
実施の形態１．
以下、本発明を適用した具体的な実施の形態について、図面を参照しながら詳細に説明する。まず、図１を参照して、本実施の形態１にかかるディスクドライブ装置の構成について説明する。
【００１５】
ディスクドライブ装置１０は、少なくともＲｅａｄ  Ｃｈａｎｎｅｌ  Ｕｎｉｔ２０とＳｅｒｖｏ  Ｕｎｉｔ３０とを備える。Ｒｅａｄ  Ｃｈａｎｎｅｌ  Ｕｎｉｔ２０は、入力されるＲＦ信号（ＲＦ  Ｓｉｇｎａｌ）１８より、同期クロック（Ｃｌｏｃｋ）１１の生成と、データ（Ｄａｔａ）１２の２値化を行う。Ｓｅｒｖｏ  Ｕｎｉｔ３０は、フォーカス、トラッキングなどのサーボ制御を行うと共に、ＴＥ信号（ＴＥ  Ｓｉｇｎａｌ）１６とＭＩＲＲ信号（ＭＩＲＲ  Ｓｉｇｎａｌ）１７とに基づいて、シーク動作を制御するためのシークステータス信号（Ｓｅｅｋ  Ｓｔａｔｕｓ  Ｓｉｇｎａｌ）１５を生成する。Ｓｅｒｖｏ  Ｕｎｉｔ３０は、生成したシークステータス信号１５をＲｅａｄ  Ｃｈａｎｎｅｌ  Ｕｎｉｔ２０へ出力する。
【００１６】
Ｒｅａｄ  Ｃｈａｎｎｅｌ  Ｕｎｉｔ２０は、アナログＲＦ信号１８をディジタル化するＡＤコンバータ（ＡＤＣ）１と、ＲＦ信号オフセットキャンセラー回路（ＯＳＣ）２と、信号振幅の一定化処理を行うＡＧＣ回路（ＡＧＣ）３と、同期クロック１１の生成を行うＲｅａｄ  ＰＬＬ（以下、ＲＰＬＬと称す。）４と、データ１２の２値化処理を行うビタビ検出回路（Ｖｉｔｅｒｂｉ  Ｄｅｔｅｃｔｉｏｎ）５と、ＲＰＬＬ４のホールド及び初期化制御を行うホールド・初期化制御回路（Ｈｏｌｄ  Ｉｎｉｔｉａｌｉｚｅ  Ｃｏｎｔｒｏｌ）６と、を備える。
【００１７】
アナログ信号であるＲＦ信号１８を、ＡＤコンバータ１と、ＲＦ信号オフセットキャンセラー回路２と、ＡＧＣ回路３とで処理を行うことで、ＲＰＬＬ４で再生するデータ１２の補正を行う。そして、ＲＰＬＬ４において同期クロック１１の生成が行われる。また、ビタビ検出回路５においてデータ１２の２値化処理が行われる。Ｒｅａｄ  Ｃｈａｎｎｅｌ  Ｕｎｉｔ２０でこのようにして生成した同期クロック１１とデータ１２とが、図示しないデータ論理処理回路において使用される。
【００１８】
ここで、ホールド・初期化制御回路６は、ディスクドライブ装置がシーク動作中であるか否かを示すシークステータス信号１５や、光ディスク上に欠陥やキズなどがあることを示すディフェクト信号（図示せず）などに基づいて、ＲＰＬＬ４のホールド又は初期化の制御を行う。ＲＰＬＬ４のホールドは、ホールド制御信号（Ｈｏｌｄ  Ｃｏｎｔｒｏｌ  Ｓｉｇｎａｌ）１３を出力して行う。また、ＲＰＬＬ４の初期化制御は、初期化制御信号（Ｉｎｉｔｉａｌｉｚｅ  Ｃｏｎｔｒｏｌ  Ｓｉｇｎａｌ）１４を出力して行う。尚、これら信号に基づいたＲＰＬＬ４の制御動作の詳細については後述する。
【００１９】
Ｓｅｒｖｏ  Ｕｎｉｔ３０は、シークシーケンサ回路（Ｓｅｅｋ  Ｃｏｎｔｒｏｌ  Ｓｅｑｕｅｎｃｅｒ）７と、シークステータス信号制御回路４０と、を備えている。シークシーケンサ回路７は、ＴＥ信号１６とＭＩＲＲ信号１７に基づいて、トラックカウント動作や、シーク動作に必要な制御を行う。また、シークシーケンサ回路７は、シーク動作中であることを示すシークステータス信号１５を生成し、生成したシークステータス信号１５をＲｅａｄ  Ｃｈａｎｎｅｌ  Ｕｎｉｔ２０のホールド・初期化制御回路６へと出力する。シークシーケンサ回路７は、シーク動作終了後のシークステータス信号１５を遅延制御させる場合には、シークシーケンサ回路７からホールド・初期化制御回路６へと直接出力するシークステータス信号１５を無効とし、シークステータス信号制御回路４０を介してシークシーケンサ回路７からホールド・初期化制御回路６へと出力する同様のシークステータス信号１５を有効とする。
【００２０】
シークステータス信号制御回路４０は、シークシーケンサ回路７により生成されたシークステータス信号により制御される。シークステータス信号制御回路４０は、遅延制御回路（Ｄｅｌａｙ  Ｃｏｎｔｒｏｌ）８を備え、シークステータス信号１５を所定の時間だけ遅延させる機能を有することを特徴とする。
【００２１】
次に、図２を参照して、シークステータス信号制御回路４０によるシークステータス信号１５の制御処理について説明する。
【００２２】
図２は、遅延制御回路８によるシークステータス信号１５の制御処理を説明するための図である。図２に示すように、遅延制御回路８は、シーク動作終了後にサーボ系信号（ＴＥ  Ｓｉｇｎａｌ１６）の不安定な状態となる期間に相当する時間分、シークステータス信号１５の立下りを遅らせるという動作を行う。即ち、シークステータス信号１５を所定の時間だけ遅らせた信号１５Ａを生成する。このように、遅延制御回路８は、シークステータス信号１５を遅延させることにより、シーク期間を擬似的に所定の時間だけ延長する。遅延制御回路８に記憶される遅延時間（Ｄｅｌａｙ  Ｔｉｍｅ）は可変とすることができ、使用するシステムに応じて変更することができる。シークステータス信号１５の代わりにシークシークステータス信号１５Ａを用いることにより、所定の時間だけ立ち下がりが遅れることになるため、シーク動作終了後にＴＥ信号１６が不安定になっている区間においても、ＲＰＬＬ４のホールド動作を継続し、ＴＥ信号１６が安定状態に遷移した後にＲＰＬＬ４を通常動作に移行させることができる。これにより、ＲＰＬＬ４の静定までに余分な時間を要さずに安定化させることができ、データリード動作を速やかに開始することができる。
【００２３】
上述の通り、本実施の形態１にかかるディスクドライブ装置では、シークステータス信号を制御して、ＲＰＬＬ４の動作を遅らせ、シーク動作が終了した後に速やかにデータリード動作開始することができる。
【００２４】
実施の形態２．
次に、図３を参照して、本実施の形態２にかかるディスクドライブ装置の構成について説明する。本実施の形態２にかかるディスクドライブ装置のシークステータス信号制御回路４０は、シークステータス信号マスク回路（Ｓｅｅｋ  Ｓｔａｔｕｓ  Ｍａｓｋ  Ｃｏｎｔｒｏｌ）９を備えることを特徴とする。また、シークシーケンサ回路７は、シーク動作に応じてシークステータス信号１５をマスク制御させる場合には、シークシーケンサ回路７からホールド・初期化制御回路６へと直接出力するシークステータス信号１５を無効とし、シークステータス信号制御回路４０を介してシークシーケンサ回路７からホールド・初期化制御回路６へと出力する同様のシークステータス信号１５を有効とする。尚、シークシーケンサ回路７とシークステータス信号制御回路４０を除く他の構成および機能は、上述した実施の形態１と同様であり、詳細な説明を省略する。
【００２５】
シークステータス信号マスク回路９は、シークステータス信号１５に対して、シーク動作時の通過トラックのトラックカウント数に応じて、シークステータス信号１５をマスクする機能を有する。より詳細には、シークステータス信号マスク回路９は、光ピックアップを目的トラックにジャンプさせるトラックジャンプ動作の制御において、シーク動作中のトラックカウント数から光ピックアップを１トラックジャンプさせるものと判定した際に、シークステータス信号１５をマスクする。
【００２６】
次に、図４を参照して、シークステータス信号制御回路４０によるシークステータス信号１５の制御処理について説明する。
【００２７】
図４は、シークステータス信号マスク回路９によるシークステータス信号１５の制御処理を説明するための図である。図に示すように、シークステータス信号マスク回路９は、シーク動作中における通過トラック数のトラックカウント数から光ピックアップを１トラックジャンプさせるものと判定した際に、ホールド動作を指示する期間に相当する時間分、シークステータス信号１５Ｂをマスクする（図において、マスクされたシークステータス信号１５Ｂの部分を破線で示す。）。即ち、ＲＰＬＬ４の動作で見た場合に、周波数変動もなく本来初期化制御が不要となる１トラックジャンプの制御に対して、シークステータス信号１５Ｂをマスクする。この結果、１トラックジャンプ後に、ＲＰＬＬ４に対して不要な初期化動作を実行せずに済む（図において、実行されないＲＰＬＬ４の初期化動作の部分を破線で示す。）。これにより、ＲＰＬＬ４の再引き込み動作が実行されないことになり、ＲＰＬＬ４はデータリード動作を速やかに開始することができる。
【００２８】
シーク終了後のデータリード動作開始までに時間を要すという問題の２つめの要因として、定常状態で動作しているＲＰＬＬ１０３が初期化処理を過剰に実行してしまうことによる再引き込み処理遅延が挙げられる。
【００２９】
具体的には、従来のＲＰＬＬのホールド・初期化制御回路では、図８に示すように初期化動作を過剰に行ってしまうことに起因するものである。より詳細には、ＰＡＵＳＥ動作で使用する１トラックジャンプによるサーボ系信号（ＴＥ  Ｓｉｇｎａｌ５６）の変動と同期して、Ｓｅｅｋ  Ｓｔａｔｕｓ信号５５が変化することにより、定常状態で動作しているＲＰＬＬ１０３が、それを初期化処理の実行タイミングと解釈して、初期化処理を実行してしまい、再引き込み動作が行われることでデータリード動作の開始に遅れが出る場合があった。
【００３０】
この２つめの要因に対して、本実施の形態２にかかるディスクドライブ装置によれば、シークステータス信号による初期化制御信号をマスクすることで、１トラックジャンプで行うＰＡＵＳＥ動作に対して、ＲＰＬＬの初期化動作を実行してしまうことを回避することができ、ひいては初期化動作に伴う再引き込み動作を抑制することができる。
【００３１】
実施の形態３．
次に、図５を参照して、本実施の形態３にかかるディスクドライブ装置の構成について説明する。本実施の形態３にかかるディスクドライブ装置のシークステータス信号制御回路４０は、実施の形態１で説明した遅延制御回路（Ｄｅｌａｙ  Ｃｏｎｔｒｏｌ）８と、実施の形態２で説明したシークステータス信号マスク回路（Ｓｅｅｋ  Ｓｔａｔｕｓ  Ｍａｓｋ  Ｃｏｎｔｒｏｌ）９と、を同時に備えることを特徴とする。また、シークシーケンサ回路７は、シーク動作終了後のシークステータス信号１５を遅延制御させる場合、或いは、シーク動作に応じてシークステータス信号１５をマスク制御させる場合には、シークシーケンサ回路７からホールド・初期化制御回路６へと直接出力するシークステータス信号１５を無効とし、シークステータス信号制御回路４０を介してシークシーケンサ回路７からホールド・初期化制御回路６へと出力する同様のシークステータス信号１５を有効とする。尚、シークシーケンサ回路７とシークステータス信号制御回路４０を除く他の構成および機能は、上述した実施の形態１及び実施の形態２と同様であり、詳細な説明を省略する。
【００３２】
遅延制御回路８は、実施の形態１で詳述したように、シークステータス信号１５に対して、シーク期間延長に相当する遅延時間を付加する機能を有する。シークステータス信号マスク回路９は、実施の形態２で詳述したように、シークステータス信号１５に対して、シーク動作時の通過トラックのトラックカウント数に応じて、シークステータス信号１５をマスクする機能を有する。
【００３３】
本実施の形態３にかかるディスクドライブ装置では、シーク動作期間中に引き続いて、シーク動作終了後におけるＲＦ信号及びＴＥ信号の不安定な区間についてもＲＰＬＬ４をホールド状態に維持することで、ＲＦ信号及びＴＥ信号の静定後にＲＰＬＬ４の動作を速やかに開始可能とすることができる。さらには、シークステータス信号による初期化制御信号をマスクすることで、１トラックジャンプで行うＰＡＵＳＥ動作に対して、ＲＰＬＬ４の初期化動作を実行してしまうことを回避することができ、ひいては初期化動作に伴う再引き込み動作を抑制することができる。従って、シーク動作の終了後、より速やかにデータリード動作を開始することができる。
【００３４】
尚、本発明は上述した実施の形態のみに限定されるものではなく、本発明の要旨を逸脱しない範囲において種々の変更が可能であることは勿論である。
【図面の簡単な説明】
【００３５】
【図１】本発明の実施の形態１に係るディスクドライブ装置の全体構成を示すブロック図である。
【図２】本発明の実施の形態１に係る遅延制御回路によるシークステータス信号の制御処理を説明するための図である。
【図３】本発明の実施の形態２に係るディスクドライブ装置の全体構成を示すブロック図である。
【図４】本発明の実施の形態２に係るシークステータス信号マスク回路によるシークステータス信号の制御処理を説明するための図である。
【図５】本発明の実施の形態３に係るディスクドライブ装置の全体構成を示すブロック図である。
【図６】関連するディスクドライブ装置の全体構成を示すブロック図である。
【図７】関連するディスクドライブ装置によるシーク動作を説明するための図である。
【図８】関連するディスクドライブ装置によるシーク動作を説明するための図である。
【符号の説明】
【００３６】
１０  ディスクドライブ装置、
２０  Ｒｅａｄ  Ｃｈａｎｎｅｌ  Ｕｎｉｔ、
３０  Ｓｅｒｖｏ  Ｕｎｉｔ、
４０  シークステータス信号制御回路、
１  ＡＤＣ、２  ＯＳＣ、３  ＡＧＣ、４  ＲＰＬＬ、
５  Ｖｉｔｅｒｂｉ  Ｄｅｔｅｃｔｉｏｎ、
６  Ｈｏｌｄ  Ｉｎｉｔｉａｌｉｚｅ  Ｃｏｎｔｒｏｌ、
７  Ｓｅｅｋ  Ｃｏｎｔｒｏｌ  Ｓｅｑｕｅｎｃｅｒ、
８  Ｄｅｌａｙ  Ｃｏｎｔｒｏｌ、
９  Ｓｅｅｋ  Ｓｔａｔｕｓ  Ｍａｓｋ  Ｃｏｎｔｒｏｌ、
１１  Ｃｌｏｃｋ、１２  Ｄａｔａ、１３  Ｈｏｌｄ  Ｃｏｎｔｒｏｌ  Ｓｉｇｎａｌ、
１４  Ｉｎｉｔｉａｌｉｚｅ  Ｃｏｎｔｒｏｌ  Ｓｉｇｎａｌ、
１５  Ｓｅｅｋ  Ｓｔａｔｕｓ  Ｓｉｇｎａｌ、１６  ＴＥ  Ｓｉｇｎａｌ、
１７  ＭＩＲＲ  Ｓｉｇｎａｌ、１８  ＲＦ  Ｓｉｇｎａｌ
【図１】
2010027109.tif 000003
【図２】
2010027109.tif 000004
【図３】
2010027109.tif 000005
【図４】
2010027109.tif 000006
【図５】
2010027109.tif 000007
【図６】
2010027109.tif 000008
【図７】
2010027109.tif 000009
【図８】
2010027109.tif 000010